(57)【要約】【課題】建物の通常の使用や、店舗等の営業を続けながら工事することができて、信頼性と経済性とに優れた持ち込み式止水板装置を提供する。【解決手段】建造物の出入口１０に持ち運ばれて設置される止水板装置１であって、建物の出入口１０の左右両側と下側とにそれぞれパッキン７ａ，７ｂを介して当接可能な止水板２と、この止水板２の左右両側に各パッキン７ａ，７ｂの伸縮範囲内で移動可能に取り付けられた支柱３とを備え、この支柱３の基部３ａは、出入口１０の左右外側の通路９上に固定可能としている。【選択図】図１
2020193517.tif 000002
【特許請求の範囲】
【請求項１】
建造物の出入口に持ち運ばれて設置される止水板装置であって、
前記出入口の左右両側と下側とにそれぞれパッキンを介して当接可能な止水板と、
前記止水板の左右両側に各パッキンの伸縮範囲内で移動可能に取り付けられた支柱と
を備えていることを特徴とする持ち運び式止水板装置。
【請求項２】
前記支柱の基部は、前記出入口の下側に固定可能であることを特徴とする請求項１に記載の持ち運び式止水板装置。
【請求項３】
前記支柱の頂部に、前記止水板を前記出入口の下側に押圧可能な第一の押圧機構を備えていることを特徴とする請求項１又は２記載の持ち運び式止水板装置。
【請求項４】
前記支柱の中間部に、前記止水板を前記出入口の左右両側に押圧可能な第二の押圧機構を備えていることを特徴とする請求項１〜３のいずれか１項に記載の持ち運び式止水板装置。
【請求項５】
前記止水板を、該止水板に取り付けられた前記支柱とともに、箱体内に収納した状態で持ち運び可能であることを特徴とする請求項１〜４のいずれか１項に記載の持ち運び式止水板装置。
【請求項６】
前記止水板を設置したときに、該止水板は前記出入口の下側より略３０〜６０ｃｍの高さとなることを特徴とする請求項１〜５のいずれか１項に記載の持ち運び式止水板装置。
【発明の詳細な説明】
【技術分野】
【０００１】
本発明は、例えば建物、店舗、地下鉄、地下街等の建造物の出入口に持ち運んで、洪水時における建造物内への浸水を防止する持ち運び式止水板装置に関するものである。
【背景技術】
【０００２】
集中豪雨や高潮などによる洪水の発生時に、建造物の出入口からの浸水を防止する防水装置として、例えば特許文献１では、出入口の床部に形成された収納室と、該収納室に引き起こし自在に収納された防水扉と、該防水扉を収納室から引き起こして出入口を閉鎖する開閉駆動装置とを具備したゲート開閉装置において、前記防水扉が収納室から引き起された後に、前記開閉駆動装置により収納室の上面を閉鎖する開閉蓋を設けたことを特徴とする防水扉装置が開示されている。ここでは、出入口に左右一対の支柱体を防水扉とは別体に立設し、前記左右の支柱体と、左右の支柱体の底部間を連通する収納室に、索体を介して防水扉及び開閉蓋をそれぞれ自動的に開閉するようになっている。
【０００３】
また、特許文献２では、本体（止水板）の下部両端に旋回中心を、上部両端に固定装置（錠等）を設けて、まず本体が垂直（０度）になるまで本体上部を押して旋回させ、固定装置で設定でき、建築物の開口部に着脱できることを特徴とした防水板が開示されている。
【発明の概要】
【発明が解決しようとする課題】
【０００４】
上記特許文献１では、左右の支柱体の底部間を連通する収納室を形成しているので、建物の通常の使用や、店舗等の営業を続けながら工事することが困難であった。
【０００５】
また、防水扉及び開閉蓋をそれぞれ自動的に開閉するので、動作が複雑で、非常時に故障して役に立たなくなるおそれがあった。また、メンテナンスが面倒で、設置コストのみならず、維持コストも高くなりがちであった。
【０００６】
特許文献２では、止水板を、入り口の左右両側の柱の下部の旋回中心で係止するとともに、上部のクレセント錠で固定しているだけで、止水板を柱に押圧する力を調整することはできない。このため、止水板の押圧力が不足して、使用時に防水扉が浮き上がり、漏水するおそれがあった。
【０００７】
本発明は、上記事情に鑑みたものであり、その目的とするところは、建物の通常の使用や、店舗等の営業を続けながら工事することができて、信頼性と経済性とに優れる持ち運び式止水板装置を提供することである。
【課題を解決するための手段】
【０００８】
本発明は、建造物の出入口に持ち運ばれて設置される止水板装置であって、前記出入口の左右両側と下側とにそれぞれパッキンを介して当接可能な止水板と、前記止水板の左右両側に各パッキンの伸縮範囲内で移動可能に取り付けられた支柱とを備えていることを特徴とするものである。パッキンはガスケットを含むシールを意味し、その伸縮範囲は非加圧時の最大厚から加圧時の最小厚までのいわゆるつぶれ代に相当する。
【０００９】
本発明によれば、前記出入口の左右両側と下側とにそれぞれパッキンを介して当接可能な止水板と、前記止水板の左右両側に各パッキンの伸縮範囲内で移動可能に取り付けられた支柱とを備えているので、出入口の正面通路下に止水板の収納室を形成する必要がない。したがって、通常時には出入口の正面通路を塞ぐことがなくなり、建物の使用や、店舗等の営業を続けながら工事することができる。
【００１０】
また、通路側に段差がないので、非常時の避難などで段差に足をとられてけがをすることを防ぐことができ、バリアフリーを実現できる。
【００１１】
さらに、部品点数を最小限とし、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れた止水板装置を得ることができる。
【００１２】
請求項２記載の発明のように、前記支柱の基部は、前記出入口の下側に固定可能であることが好ましい。
【００１３】
請求項２記載の発明によれば、前記支柱の基部は、前記出入口の下側に固定可能であるので、止水板を出入口の下側に確実に固定することができる。
【００１４】
請求項３記載の発明のように、前記支柱の頂部に、前記止水板を前記出入口の下側に押圧可能な第一の押圧機構を備えていることが好ましい。
【００１５】
請求項３記載の発明によれば、前記支柱の頂部に、前記止水板を前記出入口の下側に押圧可能な第一の押圧機構を備えているので、止水板の下側のパッキンにかかる押圧力を調整することができる。
【００１６】
請求項４記載の発明のように、前記支柱の中間部に、前記止水板を前記出入口の左右両側に押圧可能な第二の押圧機構を備えていることが好ましい。
【００１７】
請求項４記載の発明によれば、前記支柱の中間部に、前記止水板を前記出入口の左右両側に押圧可能な第二の押圧機構を備えているので、止水板の左右両側のパッキンにかかる押圧力を調整することができる。
【００１８】
請求項５記載の発明のように、前記止水板を、該止水板に取り付けられた前記支柱とともに、箱体内に収納した状態で持ち運び可能であることが好ましい。
【００１９】
請求項５記載の発明によれば、前記止水板を、該止水板に取り付けられた前記支柱とともに、箱体内に収納した状態で持ち運び可能であるので、便利である。
【００２０】
請求項６記載の発明のように、前記止水板を設置したときに、該止水板は前記出入口の下側より略３０〜６０ｃｍの高さとなることが好ましい。
【００２１】
請求項６記載の発明によれば、前記止水板を設置したときに、該止水板は前記出入口の下側より略３０〜６０ｃｍの高さとなるので、止水板を跨いで、建造物内に避難等することができる。
【発明の効果】
【００２２】
本発明によれば、前記出入口の左右両側と下側とにそれぞれパッキンを介して当接可能な止水板と、前記止水板の左右両側に各パッキンの伸縮範囲内で移動可能に取り付けられた支柱とを備えているので、出入口の正面通路下に止水板の収納室を形成する必要がない。したがって、通常時には出入口の正面通路を塞ぐことがなくなり、建物の使用や、店舗等の営業を続けながら工事することができる。
【００２３】
また、通路側に段差がないので、非常時の避難などで段差に足をとられてけがをすることを防ぐことができ、バリアフリーを実現できる。
【００２４】
さらに、部品点数を最小限とし、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れた止水板装置を得ることができる。
【図面の簡単な説明】
【００２５】
【図１】本発明の一実施形態に係る持ち運び式止水板装置の使用時における側断面拡大図である。
【図２】本実施形態に係る持ち運び式止水板装置の使用時における全体構成図であって、（ａ）は平面図、（ｂ）は立面図、（ｃ）は側断面図である。
【図３】図２（ａ）の左側部分拡大図である。
【図４】図２（ｂ）の左側部分拡大図である。
【図５】本実施形態に係る持ち運び式止水板装置を段ボール箱から取り出し中の状態を示す斜視図である。
【図６】本実施形態に係る持ち運び式止水板装置の組み立て中の状態（ａ）（ｂ）（ｃ）を示す説明図である。
【図７】本実施形態に係る持ち運び式止水板装置の組み立て完了後に使用中の状態を示す説明図である。
【発明を実施するための形態】
【００２６】
図１は本発明の一実施形態に係る持ち運び式止水板装置１の使用時における側断面拡大図、図２は本実施形態に係る持ち運び式止水板装置１の使用時における全体構成図であって、（ａ）は平面図、（ｂ）は立面図、（ｃ）は側断面図である。図３は図２（ａ）の左側部分拡大図、図４は図２（ｂ）の左側部分拡大図、図５は本実施形態に係る持ち運び式止水板装置１を段ボール箱１３から取り出し中の状態を示す斜視図である。なお、説明の便宜上、構成要素の表示を一部省略していることがある（以下、同様である）。
【００２７】
図１，図２（ａ）（ｂ）（ｃ），図３，図４，図５に示すように、本持ち運び式止水板装置１は、例えば建物、店舗、地下鉄、地下街等の建造物の出入口１０に、持ち運ばれて設置されるものであって、主に鋼板、アルミニウム板などの耐候性に優れた材料からなっている。
【００２８】
そして、出入口１０の左右両側と下側とにそれぞれパッキン７ａ，７ｂを介して当接可能な止水板２と、止水板２の左右両側に各パッキン７ａ，７ｂの伸縮範囲内で移動可能に取り付けられた支柱３とを備えている。なお、通常時（不使用時）には、止水板２と支柱３とはいずれも設置されていないから、出入口１０の通行を邪魔するものはない。
【００２９】
ここで、止水板２は、長方形の平板２ｃを複数のリブ材２ｄで補強した構造の防水扉であって、持ち運び中は長手方向の略中央で２分割した上で、その左右いずれかに取り付けられた支柱３とともに、例えば直方体状の段ボール箱（箱体に相当する。）１３内に向きを変えて重ねられた倒伏姿勢で収納可能な大きさとなっている。段ボール箱１３は、宅配便で運送可能な大きさと重さである。止水板２の一辺（起立姿勢での上辺）には逆Ｕ字状の取手２ａを適当な間隔で２個並設している。
【００３０】
そして、非常時（使用時）には、図５に示すように、操作者が、取手２ａを把持して、止水板２を支柱３とともに段ボール箱１３外に取り出し、図１中の出入口１０の周囲において、組み立てることができるようになっている。
【００３１】
止水板連結用のネジ２ｂと同用のパッキン７ｃとに加えて、組み立てに必要な各種ネジ類３ｄは、紛失しないように、止水板２又は支柱３に取り付けられた状態で段ボール箱１３内に収納されている。なお、支柱固定用のネジ３ｃだけは、アンカー６に螺合された状態となっている。
【００３２】
起立姿勢の止水板２の高さは、それで止水できる最高水位に一致している。具体的には、建造物の出入口１０の間口寸法に対応させて略１．８ｍの幅としたものであって、非常時に、操作者が、起立姿勢の止水板２を跨いで建造物の出入口１０内に退避できるように、前記出入口１０の通路９の面上略３０〜６０ｃｍの高さとしている。
【００３３】
そして、非常時にも、出入口１０の左右を塞がないので、災害時の避難などで段差に足をとられて受傷することを防ぐことができる。特に手動式の場合、操作者は通路９上を通って、起立姿勢の止水板２に到達し、それを跨いで建造物の出入口１０内に避難する必要があるから、その避難ルートのバリアフリー化が要請される。
【００３４】
支柱３は、長尺のＬ型鋼からなる本体部３ｆと、五角形の平板からなる頂部３ｂと、四角形の平板からなる基部３ａとから構成されており、その基部３ａは、図１，図３に示すように、出入口１０とは反対側に少しだけ突出しており、その突出部分に横長穴３ｅを穿設している。
【００３５】
横長穴３ｅは、出入口１０の左右外側の通路９下に埋設したアンカー６に対応するもので、この横長穴３ｅを介してアンカー６に支柱固定用のネジ３ｃを挿通させることにより、支柱３をアンカー６に固定するようになっている。ここで、横長穴３ｅとしたのは、止水板２の左右方向の位置調整ができるようにしたものある。
【００３６】
支柱３の頂部３ｂには、図１，図３，図４に示すように、Ｔ型ハンドル（第一の押圧機構に相当する。）４が螺合されており、支柱３の本体部３ｆの長手方向の略中央にも、Ｔ型ハンドル（第二の押圧機構に相当する。）５が螺合されている。Ｔ型ハンドル４，５は、操作者が直接操作可能であり、かつ、その押圧力の微調整が容易なものである。Ｔ型ハンドル５の上下には、それぞれ縦長穴３ｇが穿設されており、各縦長穴３ｇには、それぞれ段付きネジ３ｄが挿通されている。各段付きネジ３ｄは、ワッシャ３ｈを介して止水板２の内側に配置された袋ナット３ｉに螺合されている。
【００３７】
したがって、左右の止水板２を支柱３とともに一体化した上で、Ｔ型ハンドル４を時計回り（図３中のＡ方向）に回転させると、その先端が止水板２の上部を下方（図４中のＣ方向）に押圧する。このとき、段付きネジ３ｄは縦長穴３ｇ内で摺動することができるので、止水板２の動作を妨げることがない。そして、止水板２が下方に移動する結果、止水板２の下部はパッキン７ｂを圧縮して出入口１０の下側の通路９上に密着させるようになっている。
【００３８】
また、Ｔ型ハンドル５を時計回り（図４中のＤ方向）に回転させると、その先端が止水板２の左右側面を出入口１０側（図３中のＢ方向）に押圧する。このとき、段付きネジ３ｄは縦長穴３ｇ内で摺動することができないので、通路９に固定された支柱３の基部３ａに対して、本体部３ｆが止水板２とともに出入口１０側に押圧される。その結果、止水板２の左右両側はパッキン７ａを圧縮して出入口１０の左右両側のサッシ枠に密着させるようになっている。これにより、洪水時に止水板２にかかる水圧（後述する図７中のＦ）との協業により、その止水板２が建造物の出入口１０にパッキン７ａ，７ｂを介して押し付けられることにより、止水板２が浮き上がることがなくなり、確実に止水できるようになっている。
【００３９】
パッキン７ａ，７ｂ，７ｃは、起立姿勢の止水板２の左右両側と下側と分割面のいずれかに、凸状又は平板状に貼設されたゴム板からなっており、止水板２が段ボール箱１３内に収納されているときには、段ボール箱１３の壁面を介しての太陽光の直射等によるパッキン７ａ，ａｂ，７ｃの劣化を防止でき、塵埃や雨水の混入を防止できるようになっている。
【００４０】
図６は本実施形態に係る持ち運び式止水板装置１の組み立て中の状態を示す説明図、図７は本実施形態に係る持ち運び式止水板装置の組み立て完了後の使用中の状態を示す説明図であって、いずれも斜視図である。以下、図６（ａ）（ｂ）（ｃ）及び図７を参照して、本持ち運び式止水板装置１の使用方法を説明する。
【００４１】
組み立て中の状態（１）：図５に示すように、例えば一人の操作者が、持ち運んできた段ボール箱１３を開いて、止水板２を支柱３とともに１枚ずつ手で持ち上げて段ボール箱１３外に取り出す。なお、段ボール箱１３内には、組み立てに必要な工具としての六角レンチが収納されている。
【００４２】
組み立て中の状態（２）：図６（ａ）に示すように、出入口１０の左右外側の通路９には、内ネジを切ったアンカー６が埋設されており、その内ネジには支柱固定用のネジ３ｃが螺合されている。通路９の塵埃などによるアンカー６の内ネジの閉塞を回避するものである。まず、六角レンチで支柱固定用のネジ３ｃを取り外す。
【００４３】
組み立て中の状態（３）：段ボール箱１３から取り出した２枚の止水板２を支柱３とともに横並びにしてから両者を止水板連結用のネジ２ｂ，２ｂで螺合する。そして、操作者は、止水板２の一辺に設けられた取手２ａをもって、図６（ｂ）に示すように、その止水板２を支柱３とともに起立姿勢とする。
【００４４】
ついで、出入口１０の左右外側の通路９上に支柱３の基部３ａを置く。このとき、基部３ａの突出側は出入口１０と反対側に向けておくものとする。基部３ａの突出側に形成された横長穴３ｅの上部から、先に取り外しておいた支柱固定用のネジ３ｃを挿通し、このネジ３ｃをアンカー６に螺合させることにより、支柱３の基部３ａを通路９上に固定する。
【００４５】
組み立て中の状態（４）：図６（ｃ）に示すように、操作者が、Ｔ型ハンドル４を手で時計回りに回転すると、その先端が止水板２の上部を下方に押圧する。このとき、段付きネジ３ｄは縦長穴３ｇ内で摺動することができるので、止水板２の動作を妨げることがない。そして、止水板２が下方に移動する結果、止水板２の下部はパッキン７ｂを圧縮して出入口１０の下側の通路９上に密着させるようになる。
【００４６】
また、操作者が、Ｔ型ハンドル５を時計回りに回転すると、その先端が止水板２の左右側面を出入口１０側に押圧する。このとき、段付きネジ３ｄは縦長穴３ｇ内で摺動することができないので、止水板２の動作を妨げることがない。そして、止水板２が後方に移動する結果、止水板２の左右両側はパッキン７ａを圧縮して出入口１０の左右両側に密着させるようになる。これにより、図２（ａ）（ｂ）（ｃ）に示すような完成状態となる。
【００４７】
そして、図７に示すように、洪水時に止水板２にかかる水圧Ｆとの協業により、その止水板２が建造物の出入口１０にパッキン７ａ，７ｂを介して押し付けられることにより、止水板２が浮き上がることがなくなり、確実に止水できるようになっている。
【００４８】
非常時から通常時に戻る際には、概ね上記と逆の手順がとられることとなる。ここで、本発明者は、止水板装置１を試作して、その動作確認と防水性能試験とを実施し、これについても良好な結果を得ることができた。
【００４９】
以上説明したように、本実施形態に係る止水板装置１によれば、出入口１０の左右両側と下側とにそれぞれパッキン７ａ，７ｂを介して当接可能な止水板２と、止水板２の左右両側に各パッキン７ａ，７ｂの伸縮範囲内で移動可能に取り付けられた支柱３とを備えているので、出入口１０の正面通路９下に止水板の収納室を形成する必要がない。したがって、通常時には出入口１０の正面通路９を塞ぐことがなくなり、建物の使用や、店舗等の営業を続けながら工事することができる。
【００５０】
また、通路９側に段差がないので、非常時の避難などで段差に足をとられてけがをすることを防ぐことができ、バリアフリーを実現できる。
【００５１】
さらに、部品点数を最小限にして、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れる止水板装置１を得ることができる。
【００５２】
なお、上記実施形態では、止水板２は長手方向に同一寸法で２分割しているが、必ずしも長手方向に分割する必要はなく、長手方向と直角方向に分割してもよい。また、同一寸法に分割する必要もない。さらに、人手で動かすことに支障がなければ、１個にまとめたものであってもよいし、その逆に３個以上の止水板２に分割してもよい。
【００５３】
また、上記実施形態では、止水板２を複数のリブ材２ｄで補強した平板２ｃなどの簡易な構造として軽量化しているが、止水板２を例えばアルミニウム製とすることによっても軽量化することができるし、強度上の問題がなければ両者の組み合わせでさらなる軽量化を図ることもできる。
【００５４】
また、上記実施形態では、操作者は一人としているが、それが仮に女性一人であっても操作できるものとしている。ただし、止水板２の寸法によっては、二人以上であってもよい。
【００５５】
また、上記実施形態では、段ボール箱１３に入れて保管している止水板装置１を、建物の出入口１０の通路９付近に運んでくるとしているが、その保管場所は、建物ごとでなくてもよく、ある建物に保管しておいて、使用時に他の建物にトラックや宅配便を利用して配送してもよい。宅配便を利用する場合は、既定の段ボール箱１３が利用される。さらに、段ボール箱１３に代えて、木箱や金属製の箱などの箱体を使用してもよい。
【００５６】
また、上記実施形態では、止水板２の表面の色彩や表示については言及していないが、例えば止水板２の表面を黄色に着色し、外側から見て左側に「止水中」と大きく黒色で表示しておくことが好ましい。これにより、洪水時に避難してくる人の注意を喚起してそこに誘導することができる。
【００５７】
また、同止水板２の外側から見て、右側に「組み立て方法」の内容を表示しておくことが好ましい。これにより、緊急に誰でも間違いなく止水板装置１を組み立てることができる。
【００５８】
また、上記実施形態では、非常時の操作性を優先して、止水板２と支柱３とを一体化しているが、両者を別体で提供することとしてもよい。その場合は、両者の組み立て工程が増加するので、通常時に戻すときに止水板２だけを収納し、支柱３を出入口１０の左右外側の通路９上に残すことで、通常時の出入口１０の左右外側の通路９の邪魔になりうる。
【００５９】
また、上記実施形態では、止水板２の下方への押圧力の調整を容易にするために、第一の押圧機構として操作者が直接操作可能なＴ型ハンドル４を使用するとともに、止水板２の出入口１０の左右両側への押圧力の調整を容易にするために、第二の押圧機構としてＴ型ハンドル５を使用しているが、Ｔ型ハンドルに変えて単なるネジを採用してもよい。その場合は、ネジ締用の工具が必要となり、かつ、微調整がやや困難となることがある。
【符号の説明】
【００６０】
１  止水板装置
２  止水板
２ａ  止水板の取手
２ｂ  止水板連結用のネジ
２ｃ  止水板の平板
２ｄ  止水板のリブ材
３  支柱
３ａ  支柱の基部
３ｂ  支柱の頂部
３ｃ  支柱固定用のネジ
３ｄ  段付きネジ
３ｆ  支柱の本体部
４  Ｔ型ハンドル（第一の押圧機構に相当する。）
５  Ｔ型ハンドル（第二の押圧機構に相当する。）
６  アンカー
７ａ，７ｂ，７ｃ  パッキン
９  通路（出入口の下側）
１０  建造物の出入口（出入口の左右両側）
１３  段ボール箱（箱体に相当する。）
【先行技術文献】
【特許文献】
【００６１】
【特許文献１】特開２００５−９７８８５号公報
【特許文献２】特開２０１２−８７４６５号公報
【図１】
2020193517.tif 000003
【図２】
2020193517.tif 000004
【図３】
2020193517.tif 000005
【図４】
2020193517.tif 000006
【図５】
2020193517.tif 000007
【図６】
2020193517.tif 000008
【図７】
2020193517.tif 000009